(57)【特許請求の範囲】
【請求項１】
保持筒と、
前記保持筒により保持され、光軸を中心として回転する連結環と、
前記保持筒により保持され、前記光軸を中心として前記連結環の回転方向とは逆向きに回転する作動環と、
前記連結環と前記作動環の間で前記保持筒により保持され、前記連結環の回転に伴って回転することで、前記連結環の回転力を前記作動環に反転させ伝達する第１アイドラーピニオンギアおよび第２アイドラーピニオンギアと、
前記保持筒に固定されたオスヘリコイド環に螺合しており、前記作動環の回転に伴って回転することで、光軸方向に繰り出されるメスヘリコイド環と、を備えたレンズ鏡筒であって、
前記第１アイドラーピニオンギアおよび前記第２アイドラーピニオンギアは、前記連結環の前記作動環に対向する円環状の面に設けられた第１ギアと前記作動環の前記連結環に対向する円環状の面に設けられた第２ギアに噛合しており、
該噛合部のバックラッシュを除去するように、前記第１アイドラーピニオンギアは前記連結環の回転方向と同じ向きに前記第１ギアに片寄せされるとともに、前記第２アイドラーピニオンギアは前記連結環の回転方向とは逆向きに前記第１ギアに片寄せされることを特徴とするレンズ鏡筒。
【請求項２】
前記第１アイドラーピニオンギアを前記連結環の回転方向と同じ向きに前記第１ギアに押し付けるとともに、前記第２アイドラーピニオンギアを前記連結環の回転方向とは逆向きに前記第１ギアに押し付ける弾性手段を備える請求項１に記載のレンズ鏡筒。
【請求項３】
請求項１または２に記載のレンズ鏡筒を有した光学機器。
【発明の詳細な説明】
【０００１】
【産業上の利用分野】
本発明は、レンズ鏡筒において、移動鏡筒を移動させるための回転環と、操作を行う操作環の回転方向を反転させるギア機構のバックラッシュを除去するバックラッシュ除去機構に関するものである。
【０００２】
【従来の技術】
図４、５に従来のレンズ鏡筒の断面図、分解斜視図を示す。図４中の一点鎖線はレンズ鏡筒の光軸を示している。図４、５において、３１は保持筒、３２は保持筒３１に回転保持されるためのバヨネット爪３２ａとギヤ部３２ｂを有する作動環、３３はギヤ部３３ａを有する連結環、３７は連結環３３を回転保持するＣリングである。３４は連結環３３に結合される操作環、３５は連結環３３のギヤ部３３ａと作動環３２のギヤ部３２ｂに噛合し、連結環３３の回転を反転させて作動環に伝達する反転ギヤであり、３６は反転ギヤ３５を回転保持する反転ギヤ軸で、反転ギヤ３５と反転ギヤ軸３６は周方向に３箇所、保持筒３１に取付けられている。さらに保持筒３１にはオスヘリコイド３８ａを有するオスヘリコイド環３８が固定されており、メスヘリコイド環３９のキー嵌合部３９ｂには作動環３２に結合されたキー４０が嵌合している。
【０００３】
ここで操作環３４により連結環３３を回転させると、反転ギヤ３５に回転力が伝達され、さらに反転ギヤ３５の回転力は作動環３２を連結環３３の回転方向に対し逆向きに回転させることになり、全体的な動作としては、操作環３４の回転方向とは逆向きに回転力をメスヘリコイド環に与える。
【０００４】
【発明が解決しようとする課題】
しかしながら図４に示す例の様な反転作動機構では、部品ごとの許容公差等のつみあげからギヤの噛合部にバックラッシュが残ってしまう。その為、操作環を作動させてもバックラッシュが片寄せされるまで連結環は作動せず、回転方向のガタ感、あるいは不感帯内の指標ズレが発生するという欠点があった。更に、ギヤのモジュールが大きくなるとバックラッシュも大きくなる為、上記欠点が拡大される傾向にあった。
【０００５】
本発明の目的は、バックラッシュを取除き、しかも小型にまとめることが可能なレンズ鏡筒、さらには、光学機器を提供することにある。
【０００６】
【課題を解決するための手段および作用】
上記目的を達成するため、本願第１発明は、保持筒と、前記保持筒により保持され、光軸を中心として回転する連結環と、前記保持筒により保持され、前記光軸を中心として前記連結環の回転方向とは逆向きに回転する作動環と、前記連結環と前記作動環の間で前記保持筒により保持され、前記連結環の回転に伴って回転することで、前記連結環の回転力を前記作動環に反転させ伝達する第１アイドラーピニオンギアおよび第２アイドラーピニオンギアと、前記保持筒に固定されたオスヘリコイド環に螺合しており、前記作動環の回転に伴って回転することで、光軸方向に繰り出されるメスヘリコイド環と、を備えたレンズ鏡筒であって、前記第１アイドラーピニオンギアおよび前記第２アイドラーピニオンギアは、前記連結環の前記作動環に対向する円環状の面に設けられた第１ギアと前記作動環の前記連結環に対向する円環状の面に設けられた第２ギアに噛合しており、該噛合部のバックラッシュを除去するように、前記第１アイドラーピニオンギアは前記連結環の回転方向と同じ向きに前記第１ギアに片寄せされるとともに、前記第２アイドラーピニオンギアは前記連結環の回転方向とは逆向きに前記第１ギアに片寄せされることを特徴とするレンズ鏡筒である。この構成により、ギア機構のバックラッシュを取り除くことができ、しかもレンズ鏡筒が大型化することはない。
【０００７】
本願第２発明は、本願第１発明のレンズ鏡筒を有した光学機器である。これにより、撮影装置等の光学機器において、ガタ感が発生せず、指標ズレもない小型の装置を提供できる。
【０００８】
【実施例】
（第１の実施例）
次に添付図面に従って本発明の効果を最も良く表す実施例として以下に説明する。
【０００９】
図１、２に本願第１の実施例のバックラッシュ除去機構を有するレンズ鏡筒の断面図と分解斜視図を示す。
【００１０】
図１中の一点鎖線はレンズ鏡筒の光軸を示している。図１、２において、１は保持筒、２は保持筒１のバヨネット部１ａによって回動保持されるためのバヨネット爪２ａと、ギヤ部２ｂ、及びキー固定部２ｃを有する作動環、３は保持筒１のバヨネット部１ｂによって回動保持されるためのバヨネット爪３ａと、ギヤ部３ｂを有し操作環１０が固定される連結環である。
【００１１】
４は保持筒１の取付部１ｃに固定されるピニオン台、５は作動環２のギヤ部２ｂと連結環３のギア部３ｂとを接続するアイドラーピニオン、６は抜止メ、７はピニオン台４に固定されアイドラーピニオン５を回動保持するピニオン軸であり、このピニオン台４、アイドラーピニオン５、抜止メ６、ピニオン軸７からなるアイドラーユニット２０、２１が周方向に２つ展開している。また各ピニオン台４には取付長穴４ａが設けられている為、アイドラーユニット２０、２１は互いに逆向きの矢印２０ａ、矢印２１ａの周方向に微動調整した後、保持筒１にビス９により固定することが可能となっている。
【００１２】
さらに保持筒１にはオスヘリコイド１１ａを有するオスヘリコイド環１１が固定されており、このオスヘリコイド１１ａに螺合するメスヘリコイド１２ａを有するメスヘリコイド環１２のキー嵌合部１２ｂには作動環２に固定されたキー８が嵌合している。
【００１３】
次に本実施例のバックラッシュ除去機構の動作について説明する。操作環１０により連結環３を回転させると、ギヤ部３ｂに噛合しているアイドラーピニオン５に回転力が伝達され、さらにアイドラーピニオン５に噛合しているギヤ部２ｂを有する作動環２に伝達するが、この時、連結環３の回転方向と作動環２の回転方向は逆向きとなり、ズームキー８によりメスヘリコイド環１２を繰り出すことになる。
【００１４】
ここで従来ではアイドラーピニオン５とギヤ部２ｂ，３ｂの噛合部にはバックラッシュが存在し、回転方向のガタ感などを発生していたが、本発明では、ギヤのバックラシュが回転方向に関して互いに逆向きに片寄せされるよう、アイドラーユニット２０，２１をそれぞれ逆向きの矢印２０ａ，２１ａの周方向にギヤのバックラッシュを片寄せして固定する為、ガタ感などを発生することがない。
【００１５】
（第２の実施例）
図３は本願の第２の実施例の分解斜視図である。
【００１６】
第１の実施例ではアイドラーユニット２０，２１をビス９により保持筒１に固定していたのに対し、本実施例では、各ピニオン台１４に引掛け部１４ｂが設けられ、各引掛け部１４ｂに引張りコイルスプリング１５のフック部１５ａを引掛け、テンションをかけた状態で引張りコイルスプリング１５の他端をビス９により保持筒１に固定しており、また各ピニオン台１４自体も取付長穴１４ａに段付ビス１６が嵌挿されて保持筒１に保持されている。上記構成により、各アイドラーピニオン５は各引張りコイルスプリング１５のテンションの為に作動環２と連結環３の間で各アイドラーピニオン５の回転方向に関して互いに逆向きにバックラッシュを片寄せしつつ噛合、接続されている。その他の構成は第１の実施例と同様であり、本実施例により、調整等の作業をも省くことが可能となる。
【００１７】
なお、コイルスプリング１５は、例えばゴムのような他の弾性体でも一向に構わない。
【００１８】
【発明の効果】
以上説明したように、本発明によれば、小型で汎用性の高いバックラッシュ除去機構が実現でき、ガタ感や指標ズレのないレンズ鏡筒、さらには、光学機器を提供できる。
【図面の簡単な説明】
【図１】第１の実施例のバックラッシュ除去機構の断面図である。
【図２】第１の実施例のバックラッシュ除去機構の分解斜視図である。
【図３】第２の実施例のバックラッシュ除去機構の分解斜視図である。
【図４】従来技術によるバックラッシュ除去機構の断面図である。
【図５】従来技術によるバックラッシュ除去機構の分解斜視図である。
【符号の説明】
１  保持筒
２  作動環
３  連結環
４  ピニオン台
５  アイドラーピニオン
６  抜止メ
７  ピニオン軸
８  キー
９  ビス
１０  操作環
１１  オスヘリコイド環
１２  メスヘリコイド環
１５  引張りコイルスプリング
１６  段付ビス
【図１】
0003754719.tif 000002
【図２】
0003754719.tif 000003
【図３】
0003754719.tif 000004
【図４】
0003754719.tif 000005
【図５】
0003754719.tif 000006